(57)【特許請求の範囲】
【請求項１】
ハンドルの回転により回転するスプールをリール本体の側板間に設けると共に該リール本体の上面の前方側に計測設定装置の表示操作部が設けられている魚釣用リールにおいて、前記表示操作部のケーシング外側面の前方側から反ハンドル側にかけての上面と前端面及び側面が一体的に曲面状となるように太陽電池が設けられていることを特徴とする魚釣用リール。
【発明の詳細な説明】
【０００１】
【発明の属する技術分野】
本発明は、魚釣用リールに関し、更に詳しくは、側板間にスプールを回転自在に支持するリール本体に、各種の計測情報や設定情報などの表示操作部を有する計測装置や超音波センサ装置などを始めとする電子装置が装着された魚釣用リールの電源の改良に関するものである。
【０００２】
【従来の技術】
従来、魚釣用リールの糸長計測装置や超音波センサなどの電子装置（以下、単に「電子装置」という）を作動させる電源には、ボタン型電池や電動巻き取りリールの駆動用電源を利用することが広く行われていた。
【０００３】
ところで、ボタン型電池を電源とする場合には、ボタン型電池に寿命があるため容易に交換することができるように本体に装填させなければならない。すなわち、蓋体を有する電池収容部にボタン型電池を装填させ、蓋体を開くことによってボタン型電池の交換を迅速に行えるようにしている。
【０００４】
【発明が解決しようとする課題】
しかしながら、リール本体にボタン型電池の収容部を設けることは、電子装置のレイアウトの制約を来すばかりでなく、特に蓋体を設けることはリール本体のデザインの制約を来すものとなっていた。
【０００５】
また、特に海などの釣り場で電池の交換をすると塩分が付着して好ましくないばかりでなく、実釣り時での交換作業は極めて煩雑なものとなっているのが現状である。しかも、装填した電池の寿命が尽きたとき、予備の電池を用意していないと、もはや電子装置を作動させることができなくなり、その後の釣りに支障を来すものとなっていた。
【０００６】
さらに、電動リールの駆動用電源を共用する場合には、バッテリーが完全に切れた場合には、巻き取りを電動で行うことができないばかりか電子装置の使用も完全にできなくなる。また、バッテリーの電圧が電子装置の作動をさせるには充分であるが巻き取り駆動させるには不充分である場合には、巻き取りを手動に切り替えて行えばよいが、給電コードをリール本体に接続したままの状態であると、竿の取り回しが悪くなるといった不都合が残る。
【０００７】
本発明は、前記従来技術の課題に着目して提案されたもので、電子装置の駆動電源をボタン型電池とする場合における電池交換作業の繁雑性やリール本体のデザイン上の制約がなく、また、電動リールの駆動電源を共用する場合において、手動で巻き取りを行う場合の竿の取り回しの向上を図ることの出来る電子装置を有した魚釣用リールを提供することを目的とする。
【０００８】
【課題を解決するための手段】
本発明は、ハンドルの回転により回転するスプールをリール本体の側板間に設けると共に該リール本体の上面の前方側に計測設定装置の表示操作部が設けられている魚釣用リールにおいて、前記表示操作部のケーシング外側面の前方側から反ハンドル側にかけての上面と前端面及び側面が一体的に曲面状となるように太陽電池が設けられていることを特徴とする。
【００１３】
【発明の実施の形態】
次に、本発明の実施の形態を添付の図面を参照しながら詳細に説明する。なお、以下の記載においては、前後方向、上下方向は実釣時の使用状態を前提にして説明する。すなわち、竿先側を前方、竿尻側を後方とする。
【００１４】
《第１の実施の形態》
第１の実施の形態を図１〜図６を参照して説明する。
【００１５】
図１に示すように、本発明の第１の実施の形態の魚釣用リールは、リール本体１の左右側板１０ａ，１０ｂ間にハンドルＨの回転により作動回転するスプール２が設けられている。
【００１６】
リール本体１には、釣糸の繰り出し量を計測したり、棚位置などの各種の値をを設定する計測設定装置が設けられている。リール本体１の上面の前方側には該計測設定装置の表示操作部３が設けられている。図１〜図３において示す参照番号３１は計測情報の表示窓、３３は各種の値を設定する操作ボタンである。
【００１７】
表示操作部３のケーシング３０外側面の前方側から反ハンドルＨ側に掛けて太陽電池４が貼り付けられている。ここで用いられる太陽電池４は、例えばプラスチックフィルムや合金から構成された基板上にａ−Ｓｉ太陽電池を保護フィルム  によりカバーした構造のものが用いられる。これは、ケーシングの曲面に沿って貼り付けることが出来、設置位置の自由度が高いからである。従って、このような自由度を欲しない場合には、太陽電池４の形態としてある程度の厚みのあるような板状のものを用いても良いことはいうまでもない
【００１８】
ところで、糸長計測装置や超音波センサなどの電子装置が設けられた両軸受け型リールは主として海釣りに用いられるもので、その使用環境は厳しいものである。したがって、フィルム状の太陽電池を単に外周面に貼り付けておくだけでは損傷する可能性が高いものとなる。
このため、本実施の形態においては、断面図である図４およびその分解状態である図５に示す様に、ケーシング３０の表面に凹部３５を形成しておき、ここに太陽電池４を配置し、表面側に硬質ガラスやプラスチックなどから形成された保護用の透明カバー３７を被覆するようにしておくものとしている。この保護用透明カバー３７は水密性を確保するようにケーシング３０に取り付けておくことが望ましいことは言うまでもない。
なお、図４においては凹部３５を透通状としているもので、基板３８上に太陽電池４を保持させ、蓋体３９で裏面側を閉塞したものとなっている。もっとも、これは一例であって、凹部３５が透通状態でなく有底状のものとする場合には、ケーシング３０の凹部の底面部が基板３８および蓋体３９の役目を果たすものとなる。
【００１９】
前記した保護用透明カバー３７は太陽電池４を損傷から守るためのものであり、太陽電池４の表面に特殊コーティングを施し、表面強度が強く形成されるような場合には、この保護用透明カバー３７は不要となる。もっとも、この場合にも、ケーシング３０に凹部３５を形成しておき、そこに太陽電池を収容させるようにしておく方が、衝突防止の見地から望ましいものではある。
さらに、本実施の形態においては、太陽電池４及び保護用透明カバー３７を保護する目的で、破損防止用ガード３４が設けてある。
前記ガード３４を設けなくとも、保護用透明カバー３７の強度は充分確保されているが、万が一のとき、（鋭く硬い岩などによって保護カバーが破損したとき等）にガード３４を設けておくと、やはり衝突防止の見地から望ましいものである。
【００２０】
本実施の形態においては、太陽電池４を表示部３のケーシング３０の前端面、上面前側、反ハンドル側の側面および上面に掛けて一体的に、すなわち、曲面状になるように設けておくのは、リールは小型で複雑な形状をしており、電力消費の多い部品を使用しているため、太陽電池をより多くのリール表面に設けておくのが効果的であるとの理由による。
【００２７】
《第２の実施の形態》
第２の実施の形態は図６に示すように、表示操作部３のケーシング３０の表面とリール本体１の前部および側部の曲面にまで、太陽電池４を張り巡らしておくものである。これにより、発電力もより一層大きくなり、電子装置の消費電力が大きくても対応することが出来る。なお、図６において参照番号６は通常の電池や蓄電池などの二次電源である。
【００２８】
次に、第３の実施の形態について図７および図８を参照して説明する。
【００２９】
第３の実施の形態における魚釣用リールは、第２の実施の形態と同様に、表示操作部３の他、４ａまで夫々太陽電池４ａ、４ｂを着脱自在としておくものである。
図８に示す例では、表示操作部３側の太陽電池４ａを固定的に取り付けておき、リール本体１側の太陽電池を取り外し可能にし、かつ、該リール本体側の太陽電池４ｂを取り外している状態を示している。そして、本実施の形態においては、表示操作部３側の太陽電池４ａとリール本体１側に取り付けられる太陽電池４ｂを別体に構成し、両者を直列あるいは並列に接続するように構成するものである。直列接続か並列接続かは使用する電子装置の機能によって選択されるものである。さらには、両太陽電池４ａ、４ｂを全く別個独立させておき、夫々別個の電子装置に給電するようにしておいても良い。使用される電子装置に応じて太陽電池４ａ、４ｂを取り付けるようにすることが出来る。
【００３０】
《第４の実施の形態》
次に、第４の実施の形態について図９を参照して説明する。
【００３１】
第４の実施の形態における魚釣用リールは、図９に示すようにリール本体１および表示操作部３へ取り付ける太陽電池とは別個独立した太陽電池４ｃを設け、これをリード線８でもって魚釣用リール本体１内の電源回路に接続させるものである。このとき用いる太陽電池４ｃとしては、前記各実施の形態で用いたフイルム状のものに限定される必要はなく、各種の形態の太陽電池を用いることができるものである。即ち、急速充電用の大型の太陽電池を接続するものであっても良い。
なお、このような独立した太陽電池４ｃは、第３の実施の形態で説明したリール本体１に着脱自在とした太陽電池４ｂを設けておく形式のものにも適用できることはいうまでもない。
【００３３】
【発明の効果】
本発明によれば、表示部のケーシングの曲面に沿って太陽電池を設ける構成としたので、小型リールにおいても太陽電池を設ける表面積を大きくすることができ、充分な電源容量が確保される。
【図面の簡単な説明】
【図１】本発明の第１の実施の形態における魚釣用リールを示した平面図である。
【図２】本発明の第１の実施の形態における魚釣用リールにおける要部周りの拡大平面図である。
【図３】本発明の第１の実施の形態における魚釣用リールにおける要部周りの拡大斜視図である。
【図４】図３におけるＡ−Ａ断面図である。
【図５】図４の分解状態を示した説明図である。
【図６】本発明の第２の実施の形態における魚釣用リールにおける要部周りの拡大斜視図である。
【図７】本発明の第３の実施の形態における魚釣用リールにおける要部周りの拡大斜視図である。
【図８】本発明の第３の実施の形態における魚釣用リールであって、太陽電池をリール本体から外した状態を示す説明図である。
【図９】本発明の第４の実施の形態における魚釣用リールにおける要部周りの拡大斜視図である。
【図１】
0003544291.tif 000002
【図２】
0003544291.tif 000003
【図３】
0003544291.tif 000004
【図４】
0003544291.tif 000005
【図５】
0003544291.tif 000006
【図６】
0003544291.tif 000007
【図７】
0003544291.tif 000008
【図８】
0003544291.tif 000009
【図９】
0003544291.tif 000010